(57)【要約】【課題】本発明は、撮像機器、より詳細には口腔内を撮影する撮像機器において、該撮像機器に対して着脱自在のメモリ内に患者毎のフォルダを作成し、該フォルダ内に撮像した画像データを保存する。【解決手段】撮像手段１は、口腔内を撮像する。画像処理手段２は、撮像した画像データに各種処理を施しメモリに保存する。メモリ３は、撮像した画像データを保存する。フォルダ作成手段４は、図示していないフォルダ作成指示手段（フォルダ作成ボタン）からの指示を受け（フォルダ作成ボタンの押下）メモリ３内にフォルダを作成する。以後、新規にフォルダが作成されるまで、前記フォルダに撮像した画像データを保存する。【選択図】図１
2006222594.tif 000002
【特許請求の範囲】
【請求項１】
口腔内を撮像し、撮像した画像データをメモリに記憶する撮像機器において、前記メモリ内にフォルダを作成する手段と、前記撮像した画像データを前記フォルダ内に記憶する手段を備えたことを特徴とする撮像機器。
【請求項２】
前記メモリは、前記撮像機器に対して着脱自在であることを特徴とする請求項１に記載の撮像機器。
【請求項３】
前記フォルダの名称は、識別子及び前記撮像した画像データの撮像年月日を含むことを特徴とする請求項１又は２に記載の撮像機器。
【発明の詳細な説明】
【技術分野】
【０００１】
本発明は、撮像機器、より詳細には、口腔内を撮影する撮像機器において、該撮像機器に対して着脱自在のメモリ内に患者毎のフォルダを作成し、該フォルダ内に撮像した画像データを保存するようにしたものである。
【背景技術】
【０００２】
図６は、本発明による撮像機器の背景技術を説明するための要部概略構成を示すブロック図で、図中、１０は撮像機器で該撮像機器１０は、撮像手段１、画像処理手段２、メモリ３等から構成される。撮像手段１は、口腔内を撮像し、画像処理手段２は、撮像した画像データに各種処理を施しメモリに保存し、メモリ３は、撮像した画像データを保存する。前記撮像機器１０の操作者は、撮像機器１０を使用して患者の口腔内を撮像することができる。
【０００３】
図７は、前記撮像機器１０の操作者が、患者Ａ、Ｂの口腔内を撮像し、患者Ａ、Ｂの口腔内の画像データをメモリ３内に保存した様子を示したものである。図７において、２１はフォルダ、２２ａ〜２２ｇは患者Ａ、Ｂの口腔内の画像データを示している。従来の画像分別ファイルシステム２０では、フォルダ２１内に患者Ａの画像データ２２ａ〜２２ｄ（画像データ名００１〜００４）、患者Ｂの画像データ２２ｅ〜２２ｇ（画像データ名００５〜００７）がまとめて保存されている。
【発明の開示】
【発明が解決しようとする課題】
【０００４】
上述のごとき従来の画像分別ファイルシステムにおいては、撮像したすべての画像データをひとつのフォルダにまとめて保存するため、撮像後、ＰＣ等に前記画像データを移動し患者毎に前記画像データを分別又は検索する処理を行うのは非常に煩雑かつ時間のかかる作業であった。
【０００５】
本発明は、上述のごとき実情に鑑みてなされたもので、患者毎のフォルダを作成し、該フォルダ内に患者毎の画像データを保存するようにして、画像データを容易に分別又は検索することができるようにした画像分別ファイルシステムを提供することを目的としてなされたものである。
【課題を解決するための手段】
【０００６】
請求項１の発明は、口腔内を撮像し、撮像した画像データをメモリに記憶する撮像機器において、前記メモリ内にフォルダを作成する手段と、前記撮像した画像データを前記フォルダ内に記憶する手段を備えたことを特徴とするものである。
【０００７】
請求項２の発明は、請求項１に記載の発明において、前記メモリは、前記撮像機器に対して着脱自在であることを特徴とするものである。
【０００８】
請求項３の発明は、請求項１又は２に記載の発明において、前記フォルダの名称は、識別子及び前記撮像した画像データの撮像年月日を含むことを特徴とするものである。
【発明の効果】
【０００９】
本発明により、患者毎のフォルダを作成し、該フォルダ内に患者毎の画像データを保存することにより、画像データを容易に分別又は検索することができる。
【発明を実施するための最良の形態】
【００１０】
図１は、本発明による撮像機器の実施例を説明するための要部概略構成を示すブロック図で、図中、１０は本発明による撮像機器で該撮像機器１０は、撮像手段１、画像処理手段２、メモリ３、フォルダ作成手段４等から構成される。撮像手段１は、口腔内を撮像し、画像処理手段２は、撮像した画像データに各種処理を施しメモリに保存し、メモリ３は、撮像した画像データを保存する。なお、メモリ３は撮像機器１０に対して着脱自在である。そして、メモリとしては、具体的には、コンパクトフラッシュ（登録商標）メモリ、メモリスティック、ＳＤカード、ＵＳＢフラッシュメモリ等種類は問わない。フォルダ作成手段４は、図示していないフォルダ作成指示手段（フォルダ作成ボタン）からの指示を受け（フォルダ作成ボタンの押下）メモリ３内にフォルダを作成する。
【００１１】
図２は、前記撮像機器１０の操作者が、患者Ａ、Ｂの口腔内を撮像し、患者Ａ、Ｂの口腔内の画像データをメモリ３内に保存した様子を示したものである。図２において、２１、２１ａ〜２１ｃはフォルダ、２２ａ〜２２ｇは患者Ａ、Ｂの口腔内の画像データを示している。本発明の画像分別ファイルシステム２０では、フォルダ２１ａ（フォルダ名１００５０１１０）内に患者Ａの画像データ２２ａ〜２２ｄ（画像データ名００１〜００４）、フォルダ２１ｂ（フォルダ名１０１５０１１０）内に患者Ｂの画像データ２２ｅ〜２２ｇ（画像データ名００１〜００３）が保存されている。
【００１２】
図２に示したように、本発明の画像分別ファイルシステム２０では、患者毎に作成したフォルダ内に該患者の画像データを保存することにより、撮像した画像データを患者毎に分別することができる。
【００１３】
次に、フォルダを作成し、該フォルダに口腔内を撮像した画像データを保存する処理について詳細に説明する。
【００１４】
図３は、フォルダを作成し、該フォルダ内に口腔内を撮像した画像データを保存する処理を説明するためのフロー図である。
撮像機器１０の操作者が、撮像機器１０に対してフォルダ作成を指示する（フォルダ作成ボタンを押下する）（ステップＳ１）。
フォルダ作成手段４は、フォルダ作成の指示を受けメモリ３にフォルダ２１ａを作成する（ステップＳ２）。
作成したフォルダ２１ａにフォルダ名（例えば、１００５０１１０）を付与する（ステップＳ３）。なお、フォルダ名の命名規則については後に詳述する。
前記操作者が、口腔内を撮像する（ステップＳ４）。
撮像した画像データ２２をフォルダ２１ａ（フォルダ名１００５０１１０のフォルダ）に保存する（ステップＳ５）。以後、フォルダ作成指示を受けるまで（新規なフォルダを作成するまで）前記フォルダに画像データ２２を保存する。なお、新規なフォルダが作成された場合には、該フォルダに画像データ２２を保存する。
【００１５】
次に、フォルダ名の命名規則について説明する。
フォルダ名は、１００から９９９までの数値（識別子）、画像を撮影した年の西暦下１桁の数値（０〜９）、撮影月を２桁表示した数値（０１〜１２）、及び、撮影日を２桁表示した数値（０１〜３１）を含む数字列から構成される。例えば、西暦２００５年１月１０日にフォルダを作成した場合には、図２に示したように、フォルダ名が”１００５０１１０”と付される（フォルダ２１ａ）。同日（西暦２００５年１月１０日）に、さらにフォルダを作成した場合には、”１０１５０１１０”と付される（フォルダ２１ｂ）。また、前記フォルダを作成した翌日（西暦２００５年１月１１日）に、新たにフォルダを作成した場合には、フォルダ名が”１０２５０１１１”と付される（フォルダ２１ｃ）。なお、撮影年月日は、撮像機器内部の計時手段（内蔵時計）から取得する。また、１００から９９９までの数値（識別子）は、連番である。
【００１６】
次に、メモリ３に作成したフォルダ２１内に保存した画像データ２２をＰＣ（パーソナルコンピュータ）１５等の情報処理装置で管理する処理について説明する。
図４は、撮像機器１０とＰＣ１５とを通信接続せず、ＰＣにて前記画像データの管理を行う処理を示したものである。図４では、撮像機器１０とＰＣ１５とは通信接続されずメモリ３を介して画像データの受け渡しが行われ（点線参照）、ＰＣ１５にて画像データの管理が行われている。
【００１７】
一方、図５は、撮像機器１０と画像管理ソフト付きＰＣ１５を通信接続し、ＰＣにて前記画像データの管理を行う処理を示したものである。図５では、撮像機器１０とＰＣ１５とを通信接続しているため、前記画像データがＰＣ１５にインストールされた画像管理ソフトにて管理される。したがって、メモリ３を使用することとはない。そのため、本発明の画像分別ファイルシステムは使用されないというデメリットがある。
【図面の簡単な説明】
【００１８】
【図１】本発明による撮像機器の実施例を説明するための要部概略構成を示すブロック図である。
【図２】撮像機器の操作者が、患者の口腔内を撮像し、画像データをメモリ内に保存した様子を示したものである。
【図３】フォルダを作成し、該フォルダに画像データを保存する処理を説明するためのフロー図である。
【図４】撮像機器とＰＣとを通信接続せず、ＰＣにて画像データの管理を行う処理を示したものである。
【図５】撮像機器と画像管理ソフト付きＰＣを通信接続し、ＰＣにて画像データの管理を行う処理を示したものである。
【図６】本発明による撮像機器の背景技術を説明するための要部概略構成を示すブロック図である。
【図７】撮像機器の操作者が、患者の口腔内を撮像し、画像データをメモリ内に保存した様子を示したものである。
【符号の説明】
【００１９】
１…撮像手段、２…画像処理手段、３…メモリ、４…フォルダ作成手段、１０…撮像機器、１５…ＰＣ、２０…画像分別ファイルシステム、２１（２１ａ〜２２ｃ）…フォルダ、２２（２２ａ〜２２ｇ）…画像データ。
【図１】
2006222594.tif 000003
【図２】
2006222594.tif 000004
【図３】
2006222594.tif 000005
【図４】
2006222594.tif 000006
【図５】
2006222594.tif 000007
【図６】
2006222594.tif 000008
【図７】
2006222594.tif 000009